(57)【特許請求の範囲】
【請求項１】
使用者の口及び鼻先に対向する内側シートと、この内側シートの外面に積層された外側シートと、これら内側シート及び外側シートの間に介在固定された形状保持部材と、が備わる本体部を有するマスクであって、
前記本体部の幅方向に沿ってプリーツを複数有すると共に、
前記形状保持部材として、任意に形状変更可能な複数本の帯状部材を備え、この帯状部材の少なくとも一部が、前記使用者の鼻先近傍から口を縦断してハの字型に延在するように配置されており、
前記帯状部材の少なくとも１本が、前記使用者の鼻先上方を横断して延在するように配置されている、ことを特徴とするマスク。
【発明の詳細な説明】
【技術分野】
【０００１】
本発明は、使用者の口を覆うマスクに関するものである。
【背景技術】
【０００２】
従来から、使用者の口や鼻腔等を覆うマスクは、風邪をひいたときのほか、歯科医や外科医等が施術をするとき、工事や機械加工等の作業をするとき、などのさまざまな場面で使用されている。また、特に、近年では、花粉対策用などとしても使用されるようになっており、その汎用性が、ますます広がる傾向にある。
【０００３】
このようにさまざまな場面で使用されるマスクも、従来は、矩形状のガーゼや不織布等を複数枚重ねて本体部を形成し、この本体部の左右両側端部に耳掛け用のゴム紐を環状に取り付けただけのものが、ほとんどであった。しかしながら、この従来のマスクは、ガーゼが使用者の口と接触し、しかもこのガーゼは、使用時間が長くなるにしたがって湿ってくるため、口からの呼吸がしづらくなるという問題があった。
【０００４】
そこで、近年では、本体部が口と接触しないように製造段階において立体成形した、いわゆる立体マスクが人気を集めるようになっている。しかしながら、立体マスクは、その特異な形状からか、見かけが悪いとする人もいる。特に、近年、著しく需要が増えた花粉対策用のマスクは、街中や職場等でも使用することになるため、見かけの問題は重要であり、中にはそれだけのために、使用に踏み切れないでいる人もいる。
【０００５】
そこで、例えば、従来のマスクをベースとしつつも、その本体部を構成するガーゼや不織布等に、プラスチック製のネットを重ね合わせ、コシを強くすることによって、口呼吸がしづらくなるといった問題を解決しようとする提案がある（例えば、特許文献１参照。）。
【０００６】
しかしながら、プラスチック製のネットを重ね合わせたとしても、使用時における本体部の形状は、あらかじめ設計したとおりになるだけである。したがって、千差万別である使用者の口及びその周りの形状に適合しないこともあり、口呼吸がしづらくなるといった問題が、完全に解決されるには至っていないのが現状である。
【特許文献１】特開２００３−２７５３３２号公報
【発明の開示】
【発明が解決しようとする課題】
【０００７】
本発明が解決しようとする主たる課題は、見かけが悪くなく、しかも口呼吸がしづらくなるといった問題が完全に解決されたマスクを提供することにある。
【課題を解決するための手段】
【０００８】
この課題を解決した本発明は、次のとおりである。
【０００９】
【００１０】
【００１１】
〔請求項１記載の発明〕
使用者の口及び鼻先に対向する内側シートと、この内側シートの外面に積層された外側シートと、これら内側シート及び外側シートの間に介在固定された形状保持部材と、が備わる本体部を有するマスクであって、
前記本体部の幅方向に沿ってプリーツを複数有すると共に、
前記形状保持部材として、任意に形状変更可能な複数本の帯状部材を備え、この帯状部材の少なくとも一部が、前記使用者の鼻先近傍から口を縦断してハの字型に延在するように配置されており、
前記帯状部材の少なくとも１本が、前記使用者の鼻先上方を横断して延在するように配置されている、ことを特徴とするマスク。
【００１２】
【００１３】
【００１４】
【発明の効果】
【００１５】
本発明によると、見かけが悪くなく、しかも口呼吸がしづらくなるといった問題が完全に解決されたマスクになる。
【発明を実施するための最良の形態】
【００１６】
次に、本発明の実施の形態を説明する。
〔基礎となる構造〕
図１及び図２は、本形態のマスク１１を示している。このマスク１１は、使用時において使用者の口や鼻腔を覆う本体部２と、この本体部２を顔面に係止するための係止部３と、を主に備える。
【００１７】
本体部２は、幅方向に沿うプリーツ６（ジグザグ状に折り重ねて形成した襞）を複数有し、両側部には、係止部３としての耳掛け用ゴム紐が環状に取り付けられている。プリーツ６の数は、特に限定されないが、２〜３本が好ましい。
【００１８】
本形態では、本体部２の幅方向中間部において、本体部２の上端と下端とを離間させるように引っ張ると、前記中間部が外側に膨出すようにプリーツ６が拡開し、全体としてカップ状に変形する。したがって、この状態の本体部２を、図３に示すように、着用者の口や鼻腔を覆うようにあてがうと、通常は、口や鼻腔の周りに空間を残した被覆となる。なお、使用者の口や鼻腔周りの形状は千差万別であり、常に空間を残した被覆となるものではないのは、前述したとおりである。
【００１９】
本体部２の形状としては、図示例のような矩形の他、楕円形、菱形等の適宜の形状を採用することができる。また、本形態の本体部２は、プリーツ６を有するが、例えば、図１２に示すように、プリーツ６を省略した簡素な形態を採用することもできる。
【００２０】
さらに、本形態の本体部２は、図２に示すように、使用者の口及び鼻先に対向する内側シート２Ｂと、この内側シート２Ｂの外面に積層された外側シート２Ａと、これら内側シート２Ｂ及び外側シート２Ａの間に介在固定された形状保持部材２Ｃと、を主に有する。これらの部材２Ａ，２Ｂ，２Ｃうち、外側シート２Ａは、必須の部材ではなく省略することもできるが、外側シート２Ａを有しないと、形状保持部材２Ｃが表面に露出することになり、見かけが悪くなるため、意匠性の観点からは、本形態のように、外側シート２Ａを有する方がよい。
【００２１】
本体部２のサイズは適宜定めることができ、特に限定されるものではない。例えば、プリーツ６を有する場合は、プリーツ６を拡げない状態で、縦６０〜１１０ｍｍ、横８０〜１８０ｍｍとすることができる。
【００２２】
一方、本形態の係止部３は、環状のゴム紐を耳に掛け止めるタイプであるが、本体部２の両側部を帯状部材で繋ぎ、この帯状部材を頭部や首部等に掛け回して係止するタイプも採用することができる（図示略）。このタイプの係止部としては、例えば、特開平９−３１３６３１号公報に示されているものを、例示することができる。そして、この場合、外側シート２Ａ（あるいは内側シート２Ｂ）と係止部３とを単一の部材として一体的に形成し、その本体部２相当部分の内面（あるいは外面）に、内側シート２Ｂ（あるいは外側シート２Ａ）を積層することなどもできる。
【００２３】
また、外側シート２Ａや内側シート２Ｂを、あるいはこれらの間に適宜介在させた中間シートを、塵埃等の濾過機能、芳香機能、ウイルス・アレルゲン不活化機能、抗菌機能等を有する機能シートとすることもできる。このような機能を有するシートが、中間シートである場合は、本体部２に対して着脱自在に取り付けるのも好ましい形態である。
【００２４】
〔特徴となる構造〕
（第１の例）
本例の本体部２は、図４に示すように、形状保持部材２Ｃとして、針金、ポリエチレン樹脂（フォルテ：積水化学）、アルミ箔等の金属箔などの任意に形状変更可能な帯状部材９を備える。この帯状部材９は、本体部２の横軸中心線を縦断するように、より好ましくは使用者の口８を縦断（紙面上下方向）して延在するように配置されている。したがって、千差万別である使用者の口９及びその周りの形状に適合するよう、本体部２を任意の形状に変更して保持（維持）することができ、口呼吸がしづらくなるといった問題を、完全に解決することができる。また、本形態のように帯状部材９を備えると、本体部２が、プリーツ６を備え、幅方向中間部が外側に膨出し全体としてカップ状に変形する場合、この変形形状を保持する機能をも果たす。この機能は、プラスチック製のネットを介在させた場合よりも大きいものである。さらに、本形態のように帯状部材９を備えると、本体部２の膨出量を必要最低限とすることができ、しかも使用者の口９及びその周りの形状とバランスがとれた形状にすることができるので、見かけが悪くなるといった問題も生じない。
【００２５】
本形態においては、使用者の口８を縦断して延在する帯状部材９の数を１本としたが、これに限定する趣旨ではない。例えば、２本、３本、４本又はそれ以上の複数本とすることもできる。また、使用者の口８を縦断して延在する帯状部材９のほかに、他の方向に延在する帯状部材やプラスチック製のネットなども同時に配置し、これらをも要素として、形状保持部材２Ｃを構成することもできる。
【００２６】
なお、帯状部材９が、本体部２の横軸中心線を縦断するが、使用者の口８を縦断（紙面上下方向）して延在しない形態としては、例えば、帯状部材９が本体部２の一方又は両方の側端部において延在する形態などを、例示することができる。
【００２７】
（第２の例）
第１の例では、使用者の口８を縦断して延在する帯状部材９を、幅方向中心部（鼻先７を通るライン上）に配置したが、例えば、図５に示すように、使用者の口８が位置する幅方向範囲Ｌの範囲内において、左右一方側に、図示例では紙面左側に、偏らせて配置することもできる。もっとも、幅方向中心部に配置するのが、口呼吸がしづらくなるという問題を最も解決し易く、また、本体部２の形状を自然にし易い。
【００２８】
（第３の例）
第１及び第２の例では、帯状部材９を、単に使用者の口８を横断して延在するように配置したが、図６に示すように、少なくとも使用者の鼻先７から口８を縦断して延在するように、図示例では使用者の鼻先７上方から鼻先７を通り、口８を縦断して延在するように配置することもできる。つまり、この例では、帯状部材９の上端縁が、本体部２の上端縁から鼻先７の下端縁までの範囲Ｍの範囲内に位置することになる。本例によると、鼻腔周りの空間をも任意な形状にすることができ、鼻呼吸をも、し易くすることができる。また、第１及び第２の例よりも、本体部２をより自然な形状にすることができる。
【００２９】
（第４の例）
以上、第１〜第３の例では、使用者の口８を縦断して延在する帯状部材９を、上下に垂直（口８に対して直交する方向）に配置したが、斜めに配置することもできる。特に、図７に示すように、帯状部材９，９を、使用者の鼻先近傍７Ａたる鼻先７の両側方から口８を縦断してハの字型に延在するように配置すると、好ましいものとなる。この例によると、口８の周りの空間を幅方向において広く確保することができるため、口呼吸がしづらくなるという問題をより解決し易いうえに、本体部２（内側シート２Ｂの内面）に口紅等がつくのを防止することもできる。しかも、本体部２を、より自然な形状とし易くなる。
【００３０】
（第５の例）
以上、第１〜第４の例では、帯状部材９を、使用者の口８を縦断して延在するように配置したが、図８に示すように、帯状部材９を碁盤の目状（ネット状）に配置することもできる。本例によると、本体部２の形状をより細かく調節することができるため、口呼吸がしづらくなるといった問題をより完全に解決することができ、また、本体部２をより自然な形状にすることができる。
【００３１】
本例では、複数の帯状部材９を組み合わせて碁盤の目状にしたが、これに替えて、例えば、多数の開口が形成されたアルミ等の金属箔やプラスチックを形状保持部材２Ｃとして用意し、この形状保持部材２Ｃを、図１２に示すように、外側シート２Ａと内側シート２Ｂとの間に挿入することもできる。この方法によると、製造が容易となる。
【００３２】
また、本形態に類似する形態としては、例えば、図１３に示すように、形状保持部材２Ｃとして、通気性を確保するための多数の孔９ａ，９ａ…がランダムに形成されたアルミ等の金属箔やプラスチック等の平状部材を用意し、この平状形状保持部材２Ｃが、使用者の口部７周辺を覆うように備えられた形態なども例示することができる。
【００３３】
（第６の例）
以上、第１〜第５の例では、帯状部材９を、横長長方形状の本体部２に適用する場合を例に説明したが、これに限定する趣旨ではない。例えば、図９に示すように、上端縁２Ａが下方に抉れ、使用者の鼻先７を覆わない形状の本体部２に、適用することもできる。なお、図９における帯状部材９の配置は、第１の例と同様である。
【００３４】
（第７の例）
以上のほかにも、帯状部材９は、例えば、図１０に示すように、十字状に、具体的には、使用者の口８を縦断して延在するものとともに、使用者の口８を横断して延在するものを、配置するなどの、応用を図ることもできる。
【００３５】
（第８の例）
以上のようにして帯状部材９を配置するに際しては、図１０に示すように、帯状部材９，１９…を複数本とし、かつそのうちの少なくとも１本の帯状部材１９が、使用者の鼻先７上方を横断して延在するように配置すると、より好ましいものとなる。この帯状部材１９を配置しないと、図１１の左側に示すように、鼻先７やその上方と本体部２との間に隙間２０ができてしまい、この隙間を通して湿った空気が上昇し眼鏡等が曇るおそれや、花粉等が侵入するおそれがある。これに対して、かかる帯状部材１９を配置すると、図１１の右側に示すように、本体部２を鼻先７やその上方の形状に沿わせることができ、隙間２０ができてしまうのを防ぐことができるため、以上のようなおそれはない。
【００３６】
なお、帯状部材９は、基本的に口呼吸しづらくなるのを防止するためのもの、つまり本体部２を顔面から離間させるためのものであるのに対し、かかる帯状部材１９だけは、本体部２を顔面に近づけるためのものであり、その目的とする機能が大きく異なることに注意を要する。
【００３７】
〔各部材を構成する素材〕
（本体部）
本体部２の各層（シート）の素材としては、適宜定めることができ、例えば、ＪＩＳ  Ｚ  ０２０８に規定される透気度が３００ｇ／ｍ2・ｈｒ以上の通気性素材を用いることができる。
【００３８】
このような素材としては、多数の透過孔を有する多孔性シート、網材の他、織布、不織布等の短繊維若しくは長繊維集合体、ならびにこれらの積層体を挙げることができる。
【００３９】
繊維集合体を用いる場合、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。
【００４０】
さらに、不織布を用いる場合、どのような加工によって製造されたものであってもよい。加工方法としては、公知の方法、例えば、スパンレース法、スパンボンド法、サーマルボンド法、メルトブローン法、ニードルパンチ法、エアスルー法等を例示することができる。また、花粉や細かな塵埃の遮断性能を高めるために、ＳＭＳ不織布やＳＭＭＳ不織不等のような、極細繊維（直径０．５〜５μｍ程度）からなる層を有する積層型不織布を用いることもできる。
【００４１】
ただし、内側シート２Ｂの、少なくとも帯状部材９端部が位置する部位を、好ましくは全部の部位を、メルトブローン不織布で形成するのが好ましい。帯状部材９の端部が位置する部位は、使用者の肌との摩擦が他の部位と比べて大きくなり、毛羽立ちやすくなる。しかしながら、メルトブローン不織布は平滑性に優れるため、かかる部位にメルトブローン不織布を使用すると、毛羽立ちが防止される。また、かかる部位には、同時に、グリセリン等の保湿成分を含ませるのが好ましい。
【００４２】
繊維集合体を用いる場合、目付け量は１５〜７０ｇｓｍ、特に２０〜５０ｇｓｍとすることができる。目付け量が１５ｇｓｍ未満であると、強度に問題が生じやすくなる。特に、係止部３で繰り返し装着すると破れが生じる可能性がある。他方、目付け量が７０ｇｓｍを超えると、風合いが損なわれ、使用者が喋りづらくなったり、使用者の肌との擦れが発生したりするおそれがある。
【００４３】
（係止部）
係止部３の素材としては、本体部２と同様の素材から選択することもできるが、伸縮性や弾性に富み、肌への刺激が少ない素材を選択するのが好ましい。
【００４４】
例えば、弾性伸縮性フィルムの表裏両側に不織布を貼り付け、必要に応じて針刺し加工等の伸縮性向上加工を施してなるラミネート不織布や、熱捲縮性の複合繊維からなるウエブを熱処理することによって得られる伸縮性不織布の他、一対の不織布を張り合わせるとともに、不織布間に糸ゴム等の弾性伸縮部材を挟んでなる伸縮性不織布等を好適に用いることができる。もちろん、この他にも、例えば、平ゴム、丸ゴム等のゴムを用いることもできる。さらに、これらの素材と、本体部２で使用しうる素材とを積層等により結合した素材を係止部３のとして用いることもできる。
【００４５】
（その他）
部材相互や層（シート）相互の接合は、ヒートシールやホットメルト接着、超音波溶着等、公知の接合手段により行うことができる。
【産業上の利用可能性】
【００４６】
本発明は、使用者の口を覆うマスクとして、適用可能である。
【図面の簡単な説明】
【００４７】
【図１】マスクの斜視図である。
【図２】図１のＩＶ−ＩＶ線断面図である。
【図３】マスクの使用状態を示す図である。
【図４】帯状部材の配置例である。
【図５】帯状部材の配置例である。
【図６】帯状部材の配置例である。
【図７】帯状部材の配置例である。
【図８】帯状部材の配置例である。
【図９】本体部の形状例である。
【図１０】帯状部材の配置例である。
【図１１】図１０の効果を説明するための図である。
【図１２】別の例のマスクの斜視図である。
【図１３】形状保持部材の配置例である。
【符号の説明】
【００４８】
１…マスク、２…本体部、２Ａ…外側シート、２Ｂ…内側シート、２Ｃ…形状保持部材、３…係止部、６…プリーツ、７…鼻先部、８…口部、９，１９…帯状部材。
【図１】
0004717538.tif 000002
【図２】
0004717538.tif 000003
【図３】
0004717538.tif 000004
【図４】
0004717538.tif 000005
【図５】
0004717538.tif 000006
【図６】
0004717538.tif 000007
【図７】
0004717538.tif 000008
【図８】
0004717538.tif 000009
【図９】
0004717538.tif 000010
【図１０】
0004717538.tif 000011
【図１１】
0004717538.tif 000012
【図１２】
0004717538.tif 000013
【図１３】
0004717538.tif 000014